(57)【特許請求の範囲】
【請求項１】
複数のアンテナを備えるネットワークデバイスによって実行される方法であって、
設置されているネットワークデバイスの向きが第１の向きか、第２の向きかのいずれであるかを決定するステップ、ここで第１の向きにおいては、ネットワークデバイスの長手方向軸は実質的に垂直方向にあり、第２の向きにおいては、ネットワークデバイスの長手方向軸は実質的に水平方向にある、
設置されている向きが第１の向きであると決定された場合、複数のアンテナを含む第１アンテナセットを用いて通信するようにネットワークデバイスを設定するステップ、
ここで第１アンテナセットは、
ネットワークデバイスが第１の向きに設置されているとき、実質的に垂直方向に向く長手方向軸を有する第１アンテナ（８０２Ａ）、
ネットワークデバイスが第１の向きに設置されているとき、実質的に水平方向に向く長手方向軸を有する第２アンテナ（８０２Ｂ）、
ネットワークデバイスが第１の向きに設置されているとき、実質的に垂直方向に向く長手方向軸を有する第３アンテナ（８０４）、ここで第３アンテナは、第１アンテナ（８０２A）と平行である、
を有する、
設置されている向きが第２の向きであると決定された場合、複数のアンテナを含む第２アンテナセットを用いて通信するようにネットワークデバイスを設定するステップ、
ここで第２アンテナセットは、
ネットワークデバイスが第２の向きに設置されているとき、実質的に水平方向に向く長手方向軸を有する第１アンテナ（８０２Ａ）、
ネットワークデバイスが第２の向きに設置されているとき、実質的に垂直方向に向く長手方向軸を有する第２アンテナ（８０２Ｂ）、
ネットワークデバイスが第２の向きに設置されているとき、実質的に垂直方向に向く長手方向軸を有する第４アンテナ（８０６）、ここで第４アンテナは、第２アンテナ（８０２Ｂ）と平行である、
を有する、
を含む、方法。
【請求項２】
第１アンテナセット及び第２アンテナセットは、それぞれ、３つ以上のアンテナを有する、請求項１に記載の方法。
【請求項３】
更に、
設置されている向きが第１の向きであると決定された場合、第１イコライゼーション設定に従って、サウンドを再生させるようにネットワークデバイスを構成するステップ、
設置されている向きが第２の向きであると決定された場合、第２イコライゼーション設定に従って、サウンドを再生するようにネットワークデバイスを構成するステップ、
を含む、請求項１又は２に記載の方法。
【請求項４】
複数のアンテナを含む第１アンテナセットを用いて通信するようにネットワークデバイスを設定するステップは、複数のアンテナを含む第１アンテナセットを用いて、制御情報とオーディオ情報とのうち少なくとも１つを送信及び／又は受信するようにネットワークデバイスを設定すること、を含む、請求項１〜３のいずれか一項に記載の方法。
【請求項５】
複数のアンテナを含む第１アンテナセットを用いて通信するようにネットワークデバイスを設定するステップは、複数のアンテナを含む第１アンテナセットを有効にするようにネットワークデバイスを設定すること、を含む、請求項１〜４のいずれか一項に記載の方法。
【請求項６】
複数のアンテナを含む第１アンテナセットを用いて通信するようにネットワークデバイスを設定するステップは、第４アンテナ（８０６）を無効にするようにネットワークデバイスを設定すること、を含む、請求項１〜５のいずれか一項に記載の方法。
【請求項７】
更に、
設置されているネットワークデバイスの向きが第３の向きであることを決定するステップ、
ネットワークデバイスが第３の向きに設置されているとき、複数のアンテナを含む第１アンテナセットを用いて通信するようにネットワークデバイスを設定するステップ、
を含む、請求項１〜６のいずれか一項に記載の方法。
【請求項８】
ネットワークデバイスは、メディアコンテンツを再生するように構成された再生デバイスである、請求項１〜７のいずれか一項に記載の方法。
【請求項９】
ネットワークデバイスが第２の向きに設置されているとき、第１アンテナ（８０２Ａ）はネットワークデバイスの上部側近傍に配置されており、
ネットワークデバイスが第２の向きに設置されているとき、第２アンテナ（８０２Ｂ）はネットワークデバイスの左側近傍に配置されており、
ネットワークデバイスが第２の向きに設置されているとき、第４アンテナ（８０６）はネットワークデバイスの右側近傍に配置されている、
請求項１に記載の方法。
【請求項１０】
ネットワークデバイスの長手方向軸は、第１アンテナ（８０２Ａ）の長手方向軸と、第３アンテナ（８０４）の長手方向軸とに、それぞれ、実質的に平行であり、
ネットワークデバイスの長手方向軸は、第２アンテナ（８０２Ｂ）の長手方向軸と、第４アンテナ（８０６）の長手方向軸とに対して、それぞれ、実質的に垂直である、
請求項１〜９のいずれか一項に記載の方法。
【請求項１１】
第１の向きに設置されているとき、ネットワークデバイスの長手方向は、実質的に垂直であり、
第２の向きに設置されているとき、ネットワークデバイスの長手方向は、実質的に水平である、
請求項１〜１０のいずれか一項に記載の方法。
【請求項１２】
コンピュータによって実行可能な命令を記憶しており、コンピュータに機能を実行させる非一時的なコンピュータ読み取り可能記録媒体であって、
前記機能は、
設置されているネットワークデバイスの向きが第１の向きか、第２の向きかのいずれであるかを決定すること、
設置されている向きが第１の向きであると決定された場合、複数のアンテナを含む第１アンテナセットを用いて通信するようにネットワークデバイスを設定すること、
ここで第１アンテナセットは、
ネットワークデバイスが第１の向きに設置されているとき、実質的に垂直方向に向く長手方向軸を有する第１アンテナ（８０２Ａ）、
ネットワークデバイスが第１の向きに設置されているとき、実質的に水平方向に向く長手方向軸を有する第２アンテナ（８０２Ｂ）、
ネットワークデバイスが第１の向きに設置されているとき、実質的に垂直方向に向く長手方向軸を有する第３アンテナ（８０４）、ここで第３アンテナは、第１アンテナ（８０２A）と平行である、
を有する、
設置されている向きが第２の向きであると決定された場合、複数のアンテナを含む第２アンテナセットを用いて通信するようにネットワークデバイスを設定すること、
ここで第２アンテナセットは、
ネットワークデバイスが第２の向きに設置されているとき、実質的に水平方向に向く長手方向軸を有する第１アンテナ（８０２Ａ）、
ネットワークデバイスが第２の向きに設置されているとき、実質的に垂直方向に向く長手方向軸を有する第２アンテナ（８０２Ｂ）、
ネットワークデバイスが第２の向きに設置されているとき、実質的に垂直方向に向く長手方向軸を有する第４アンテナ（８０６）、ここで第４アンテナは、第２アンテナ（８０２Ｂ）と平行である、
を有する、
を含む、非一時的なコンピュータ読み取り可能記録媒体。
【請求項１３】
第１アンテナセット、
第２アンテナセット、及び
請求項１〜１１のいずれか一項に記載の方法を実行するプロセッサ、
を備える、ネットワークデバイス。
【請求項１４】
更に、
ネットワークデバイスの向きを決定する加速度計を備える、請求項１３に記載のネットワークデバイス。
【発明の詳細な説明】
【関連出願の参照】
【０００１】
本願は、２０１５年４月２４日に出願された米国特許出願第１４／６９６，０４１号の優先権を主張しており、その全体が参照されることにより本明細書に組み込まれる。
【０００２】
本願は、２０１１年７月１９日に出願された「スピーカーの向きに応答したサウンドのシェーピング」と題する米国特許出願第１３／１８６，２４９号の優先権を主張しており、その全体が参照されることにより本明細書に組み込まれる。
【技術分野】
【０００３】
本願は、コンシューマ製品に関するものであり、特に、メディア再生に向けられた方法、システム、製品、機能、サービス、および他の要素に関するものや、それらのいくつかの態様に関する。
【背景技術】
【０００４】
２００３年に、ソノズ・インコーポレイテッドが最初の特許出願のうちの１つである「複数のネットワークデバイス間のオーディオ再生を同期する方法」と題する特許出願をし、２００５年にメディア再生システムの販売を開始するまで、アウトラウド設定におけるデジタルオーディオへのアクセスおよび試聴のオプションは厳しく制限されていた。人々は、ソノズ無線ＨｉＦｉシステムによって、１つ又は複数のネットワーク再生デバイスを介して多くのソースから音楽を実質的に無制限に体験できるようになっている。スマートフォン、タブレット、又はコンピュータにインストールされたソフトウェアコントロールアプリケーションを通じて、ネットワーク再生デバイスを備えたいずれの部屋においても、人々は自分が望む音楽を再生することができる。また、例えばコントローラを用いて、再生デバイスを備えた各部屋に異なる歌をストリーミングすることもできるし、同期再生のために複数の部屋をグループ化することもできるし、全ての部屋において同期して同じ歌を聞くこともできる。
【発明の概要】
【発明が解決しようとする課題】
【０００５】
これまでのデジタルメディアに対する関心の高まりを考えると、試聴体験を更に向上させることができるコンシューマアクセス可能な技術を更に開発することにニーズがある。
【０００６】
本明細書で開示されている技術の特徴、態様、および利点は、以下の記載、添付の特許請求の範囲、および添付の図面を参照するとより理解しやすい。
【図面の簡単な説明】
【０００７】
【図１】ある実施形態で実施可能な例示的なメデイア再生システムの構成を示す図
【図２】例示的な再生デバイスの機能ブロック図を示す図
【図３】例示的な制御デバイスの機能ブロック図を示す図
【図４】例示的なコントローラインタフェースを示す図
【図５】１つ又は複数のアンテナを含む第１アンテナセット又は１つ又は複数のアンテナを含む第２アンテナセットを用いた通信の例示的なフロー図
【図６Ａ】例示的な実施形態に係る様々な位置に設置された例示的な再生デバイスを示す図
【図６Ｂ】例示的な実施形態に係る様々な位置に設置された例示的な再生デバイスを示す図
【図６Ｃ】例示的な実施形態に係る様々な位置に設置された例示的な再生デバイスを示す図
【図７Ａ】例示的な実施形態に係る例示的なアンテナを含む例示的な再生デバイスを示す図
【図７Ｂ】例示的な実施形態に係る例示的なアンテナを含む例示的な再生デバイスを示す図
【図８Ａ】例示的な実施形態に係る追加の例示的なアンテナを含む例示的な再生デバイスを示す図
【図８Ｂ】例示的な実施形態に係る追加の例示的なアンテナを含む例示的な再生デバイスを示す図
【図９】例示的な実施形態に係る第１アンテナ又は第２アンテナを通じて通信を開始するためのスイッチの機能図
【発明を実施するための形態】
【０００８】
図面は、いくつかの例示的な実施形態を説明することを目的としているが、本発明が、図面に示した配置および手段に限定されるものではないことは理解される。
【０００９】
Ｉ．概要
本明細書で述べられている実施形態は、ネットワークデバイスによって、設置されているネットワークデバイスの向きに応じていずれかのアンテナセットと通信することを含む。ある実施形態では、ネットワークデバイスは、再生デバイスであり、オーディオを再生することが可能であり、いずれかのアンテナセットを用いて他のネットワークデバイスと通信する。再生デバイスは、ユーザの好みに応じて複数の向きに設置されてもよい。再生デバイスは、再生デバイスの向きに応じて所定のアンテナセットを切り替えて使用し、いずれの向きにある場合でも再生デバイスが通信レベルを維持することを保証している。
【００１０】
ある例では、再生デバイスが垂直方向に配置されているとき、再生デバイスは、１つ又は複数のアンテナを含む第１アンテナセットを用いて通信することができる。ある場合では、１つ又は複数のアンテナを含む第１アンテナセットにおける各アンテナは、垂直に配置することができる。これにより、１つ又は複数のアンテナを含む集合的な第１アンテナセットの放射パターンは、垂直に設置された再生デバイスの方位角に沿って実質的に水平になり、有益である。
【００１１】
別の例では、再生デバイスが水平方向に設置されているとき、再生デバイスは、１つ又は複数のアンテナを含む第２アンテナセットを用いて通信することができる。ある場合では、１つ又は複数のアンテナを含む第２アンテナセットにおける各アンテナは、１つ又は複数のアンテナを含む第１アンテナセットにおける各アンテナと垂直に配置することができる。したがって、再生デバイスが水平に設置されているとき、１つ又は複数のアンテナを含む第２アンテナセットにおける各アンテナは、垂直に配置される。これにより、１つ又は複数のアンテナを含む集合的な第２アンテナセットの放射パターンは、水平に設置された再生デバイスの方位角に沿って実質的に水平になり、有益である。
【００１２】
他の例では、１つ又は複数のアンテナを含む第１アンテナセットと、１つ又は複数のアンテナを含む第２アンテナセットとは、少なくとも１つのアンテナを共用することができる。この場合、共用される少なくとも１つのアンテナは、再生デバイスが複数の向きに設置されているとき、再生デバイスによる通信のために使用することができる。
【００１３】
上述したように、本明細書で提供されている例は、設置されているネットワークデバイスの向きに応じていずれかのアンテナと通信するようにネットワークデバイスを設定することを含む。ある態様では、ネットワークデバイスが提供される。ネットワークデバイスは、１つ又は複数のアンテナ含む第１アンテナセット、１つ又は複数のアンテナ含む第２アンテナセット、プロセッサ、及びプロセッサによって実行され、ネットワークデバイスに機能を実行させるための命令を記憶したメモリを含む。機能は、（１）設置されているネットワークデバイスの向きが第１の向きか、第２の向きかのいずれであるかを決定すること、（２）設置されている向きが第１の向きであると決定された場合、１つ又は複数のアンテナ含む第１アンテナセットを用いて通信するようにネットワークデバイスを設定すること、及び（３）設置されている向きが第２の向きであると決定された場合、１つ又は複数のアンテナ含む第２アンテナセットを用いて通信するようにネットワークデバイスを設定すること、を含む。
【００１４】
別の態様では、方法が提供される。方法は、（１）設置されているネットワークデバイスの向きが第１の向きか、第２の向きかのいずれであるかを決定するステップ、（２）設置されている向きが第１の向きであると決定された場合、１つ又は複数のアンテナ含む第１アンテナセットを用いて通信するようにネットワークデバイスを設定するステップ、及び（３）設置されている向きが第２の向きであると決定された場合、１つ又は複数のアンテナ含む第２アンテナセットを用いて通信するようにネットワークデバイスを設定するステップ、を含む。
【００１５】
更に別の態様では、非一時的なコンピュータ読み取り記憶媒体が提供される。非一時的なコンピュータ読み取り記憶媒体は、コンピュータに機能を実行させるために、コンピュータによって実行可能な命令を記憶している。機能は、（１）設置されているネットワークデバイスの向きが第１の向きか、第２の向きかのいずれであるかを決定すること、（２）設置されている向きが第１の向きであると決定された場合、１つ又は複数のアンテナ含む第１アンテナセットを用いて通信するようにネットワークデバイスを設定すること、及び（３）設置されている向きが第２の向きであると決定された場合、１つ又は複数のアンテナ含む第２アンテナセットを用いて通信するようにネットワークデバイスを設定すること、を含む。
【００１６】
当業者は、本開示には他の複数の実施形態が含まれることを理解するであろう。本明細書に記載されているいくつかの例において、「ユーザ」及び／又は別のエンティティなどの行為者によって実行される機能について言及することがあるが、そのような記載は、説明のためだけを目的としていることを理解されるべきである。そのような例示的な行為者によるアクションは、特許請求の範囲の文言そのものによって明確に必要とされていない限り、必要であると解釈されるべきではない。当業者において、本開示が複数の他の実施形態を含むことは理解され得る。
【００１７】
ＩＩ．動作環境の例
図１は、本明細書で開示されている１つ又は複数の実施形態で実施可能又は実装可能なメディア再生システム１００の例示的な構成を示す。図示されるように、メディア再生システム１００は、複数の部屋および空間、例えば、主寝室、オフィス、ダイニングルーム、およびリビングルームを有する例示的なホーム環境に関連付けられている。図１の例に示されるように、メディア再生システム１００は、再生デバイス１０２−１２４、制御デバイス１２６および１２８、有線又は無線のネットワークルータ１３０を含む。
【００１８】
更に、例示的なメディア再生システム１００の異なる構成要素、および異なる構成要素がどのように作用してユーザにメディア体験を提供するかに関しての説明は、以下のセクションで述べられている。本明細書における説明は、概してメディア再生システム１００を参照しているが、本明細書で述べられている技術は、図１に示されるホーム環境の用途に限定されるものではない。例えば、本明細書で述べられている技術は、マルチゾーンオーディオが望まれる環境、例えば、レストラン、モール、又は空港のような商業的環境、スポーツ用多目的車（ＳＵＶ）、バス又は車のような車両、船、若しくはボード、飛行機などの環境において有益である。
【００１９】
ａ．例示的な再生デバイス
図２は、図１のメディア再生システム１００の再生デバイス１０２−１２４の１つ又は複数を構成する例示的な再生デバイス２００の機能ブロック図を示す。再生デバイス２００は、プロセッサ２０２、ソフトウェアコンポーネント２０４、メモリ２０６、オーディオ処理コンポーネント２０８、オーディオアンプ２１０、スピーカー２１２、およびネットワークインタフェース２１４を含んでもよい。ネットワークインタフェース２１４は、無線インタフェース２１６および有線インタフェース２１８を含む。ある場合では、再生デバイス２００は、スピーカー２１２を含まないが、再生デバイス２００を外部スピーカーに接続するためのスピーカーインタフェースを含んでもよい。別の場合では、再生デバイス２００は、スピーカー２１２もオーディオアンプ２１０も含まないが、再生デバイス２００を外部オーディオアンプ又はオーディオビジュアルレシーバーに接続するためのオーディオインタフェースを含んでもよい。
【００２０】
ある例では、プロセッサ２０２は、メモリ２０６に記憶された命令に基づいて、入力データを処理するように構成されたクロック駆動コンピュータコンポーネントであってもよい。メモリ２０６は、プロセッサ２０２によって実行可能な命令を記憶するように構成された非一時的なコンピュータ読み取り可能記録媒体であってもよい。例えば、メモリ２０６は、ある機能を実行するためにプロセッサ２０２によって実行可能なソフトウェアコンポーネント２０４の１つ又は複数をロードすることができるデータストレージであってもよい。ある例では、機能は、再生デバイス２００がオーディオソース又は別の再生デバイスからオーディオデータを読み出すステップを含んでもよい。別の例では、機能は、再生デバイス２００がネットワーク上の別のデバイス又は再生デバイスにオーディオデータを送信するステップを含んでもよい。更に別の例では、機能は、マルチチャンネルオーディオ環境を作るために、再生デバイス２００と１つ又は複数の再生デバイスとをペアリングするステップを含んでもよい。
【００２１】
ある機能は、再生デバイス２００が、１つ又は複数の他の再生デバイスと、オーディオコンテンツの再生を同期するステップを含む。再生を同期している間、再生デバイス２００によるオーディオコンテンツの再生と１つ又は複数の他の再生デバイスによる再生との間の遅延を、リスナーが気づかないことが好ましい。「複数の独立クロックデジタルデータ処理デバイス間の動作を同期するシステムおよび方法」と題する米国特許第８，２３４，３９５号が本明細書に参照として援用されており、それは再生デバイス間のオーディオ再生を同期することが述べられたより詳細な例を提供している。
【００２２】
更に、メモリ２０６は、データを記憶するように構成されてもよい。データは、例えば、１つ又は複数のゾーン及び／又はゾーングループに一部として含まれる再生デバイス２００などの再生デバイス２００、再生デバイス２００によりアクセス可能なオーディオソース、又は再生デバイス２００（又は他の再生デバイス）に関連付け可能な再生キュー、に関連付けられている。データは、定期的に更新され、再生デバイス２００の状態を示す１つ又は複数の状態変数として記憶されてもよい。また、メモリ２０６は、メディアシステムの他のデバイスの状態に関連付けられたデータを含んでもよく、デバイス間で随時共有することによって、１つ又は複数のデバイスが、システムに関連するほぼ直近のデータを有することができる。他の実施形態も可能である。
【００２３】
オーディオ処理コンポーネント２０８は、１つ又は複数のデジタル−アナログ変換器（ＤＡＣ）、オーディオ処理コンポーネント、オーディオ強化コンポーネント、及びデジタルシグナルプロセッサ（ＤＳＰ）などを含んでいてもよい。ある実施形態では、１つ又は複数のオーディオ処理コンポーネント２０８は、プロセッサ２０２のサブコンポーネントであってもよい。ある実施形態では、オーディオコンテンツが、オーディオ処理コンポーネント２０８によって処理及び／又は意図的に変更されることによって、オーディオ信号を生成してもよい。生成されたオーディオ信号は、オーディオアンプ２１０に送信され、増幅され、スピーカー２１２を通じて再生される。特に、オーディオアンプ２１０は、１つ又は複数のスピーカー２１２を駆動できるレベルまでオーディオ信号を増幅するように構成されたデバイスを含んでもよい。スピーカー２１２は、独立した変換器（例えば、「ドライバ」）又は１つ又は複数のドライバを内包する筐体を含む完全なスピーカーシステムを備えてもよい。スピーカー２１２に備えられたあるドライバは、例えば、サブウーファー（例えば、低周波用）、ミドルレンジドライバ（例えば、中間周波用）、及び／又はツイーター（高周波用）を含んでもよい。ある場合では、１つ又は複数のスピーカー２１２のそれぞれの変換器は、オーディオアンプ２１０の対応する個々のオーディオアンプによって駆動されてもよい。再生デバイス２００で再生するアナログ信号を生成することに加えて、オーディオ処理コンポーネント２０８は、オーディオコンテンツを処理し、そのオーディオコンテンツを１つ又は複数の他の再生デバイスに再生させるために送信する。
【００２４】
再生デバイス２００によって処理及び／又は再生されるオーディオコンテンツは、外部ソース、例えば、オーディオライン−イン入力接続（例えば、オートディテクティング３．５ｍｍオーディオラインイン接続）又はネットワークインタフェース２１４を介して、受信されてもよい。
【００２５】
ネットワークインタフェース２１４は、データネットワーク上で再生デバイス２００と１つ又は複数の他のデバイスとの間のデータフローを可能にするように構成されてもよい。このように、再生デバイス２００は、再生デバイスと通信する１つ又は複数の他の再生デバイス、ローカルエリアネットワーク内のネットワークデバイス、又は例えば、インターネット等のワイドエリアネットワーク上のオーディオコンテンツソースから、データネットワークを介してオーディオコンテンツを受信するように構成されてもよい。ある例では、再生デバイス２００によって送信および受信されたオーディオコンテンツおよび他の信号は、インターネットプロトコル（ＩＰ）に基づくソースアドレスおよびＩＰに基づく宛先アドレスを含むデジタルパケットの形で送信されてもよい。そのような場合、ネットワークインタフェース２１４は、デジタルパケットデータを解析することによって、再生デバイス２００宛てのデータを、再生デバイス２００によって適切に受信して処理することができる。
【００２６】
図示されるように、ネットワークインタフェース２１４は、無線インタフェース２１６と有線インタフェース２１８とを含んでもよい。無線インタフェース２１６は、再生デバイス２００用のネットワークインタフェース機能を提供し、通信プロトコル（例えば、無線規格ＩＥＥＥ８０２．１１ａ、８０２．１１ｂ、８０２．１１ｇ、８０２．１１ｎ、８０２．１１ａｃ、８０２．１５、４Ｇモバイル通信基準などを含む無線基準（規格）のいずれか）に基づいて、他のデバイス（例えば、再生デバイス２００に関連付けられたデータネットワーク内の他の再生デバイス、スピーカー、レシーバー、ネットワークデバイス、制御デバイス）と無線通信してもよい。有線インタフェース２１８は、再生デバイス２００用のネットワークインタフェース機能を提供し、通信プロトコル（例えば、ＩＥＥＥ８０２．３）に基づいて他のデバイスとの有線接続を介して通信してもよい。図２に示されるネットワークインタフェース２１４は、無線インタフェース２１６と有線インタフェース２１８との両方を含んでいるが、ネットワークインタフェース２１４は、ある実施形態において、無線インタフェースのみか、又は有線インタフェースのみを含んでもよい。
【００２７】
ある例では、再生デバイス２００と他の再生デバイスとは、ペアにされて、オーディオコンテンツの２つの別々のオーディオコンポーネントを再生してもよい。例えば、再生デバイス２００は、左チャンネルオーディオコンポーネントを再生するように構成される一方、他の再生デバイスは、右チャンネルオーディオコンポーネントを再生するように構成されてもよい。これにより、オーディオコンテンツのステレオ効果を生成するか、又は強化することができる。ペアにされた再生デバイス（「結合再生デバイス」とも言う）は、更に、他の再生デバイスと同期してオーディオコンテンツを再生してもよい。
【００２８】
別の例では、再生デバイス２００は、１つ又は複数の他の再生デバイスと音響的に統合され、単一の統合された再生デバイス（統合再生デバイス）を形成してもよい。統合再生デバイスは、統合されていない再生デバイス又はペアにされた再生デバイスと比べて、サウンドの処理や再現を異なるように構成することができる。なぜならば、統合再生デバイスは、オーディオコンテンツを再生するスピーカー追加することができるからである。例えば、再生デバイス２００が、低周波レンジのオーディオコンテンツを再生するように設計されている場合（例えば、サブウーファー）、再生デバイス２００は、全周波数レンジのオーディオコンテンツを再生するように設計された再生デバイスと統合されてもよい。この場合、全周波数レンジの再生デバイスは、低周波の再生デバイス２００と統合されたとき、オーディオコンテンツの中高周波コンポーネントのみを再生するように構成されてもよい。一方で低周波レンジの再生デバイス２００は、オーディオコンテンツの低周波コンポーネントを再生する。更に、統合再生デバイスは、単一の再生デバイス、又は更に他の統合再生デバイスとペアにされてもよい。
【００２９】
例として、現在、ソノズ・インコーポレイテッドは、「ＰＬＡＹ：１」、「ＰＬＡＹ：３」、「ＰＬＡＹ：５」、「ＰＬＡＹＢＡＲ」、「ＣＯＮＮＥＣＴ：ＡＭＰ」、「ＣＯＮＮＥＣＴ」、および「ＳＵＢ」を含む再生デバイスを販売提供している。他の過去、現在、及び／又は将来のいずれの再生デバイスにおいても、追加的に又は代替的に本明細書で開示された実施例の再生デバイスに実装して使用することができる。更に、再生デバイスは、図２に示された特定の例又は提供されるソノズ製品に限定されないことは理解される。例えば、再生デバイスは、有線又は無線のヘッドホンを含んでもよい。別の例では、再生デバイスは、パーソナルモバイルメディア再生デバイス用のドッキングステーションを含むか、又は、それらと対話してもよい。更に別の例では、再生デバイスは、別のデバイス又はコンポーネント、例えば、テレビ、照明器具、又は屋内又は屋外で使用するためのいくつかの他のデバイスと一体化されてもよい。
【００３０】
ｂ．例示的な再生ゾーン構成
図１のメディア再生システムに戻って、環境は、１つ又は複数の再生ゾーンを有しており、それぞれの再生ゾーンは１つ又は複数の再生デバイスを含んでいる。メディア再生システム１００は、１つ又は複数の再生ゾーンで形成されており、後で１つ又は複数のゾーンが追加又は削除して、図１に示す例示的な構成としてもよい。それぞれのゾーンは、異なる部屋又は空間、例えば、オフィス、浴室、主寝室、寝室、キッチン、ダイニングルーム、リビングルーム、及び／又はバルコニーに基づく名前が与えられてもよい。ある場合では、単一の再生ゾーンは複数の部屋又は空間を含んでもよい。別の場合では、単一の部屋又は空間は、複数の再生ゾーンを含んでもよい。
【００３１】
図１に示されるように、バルコニー、ダイニングルーム、キッチン、浴室、オフィス、および寝室のゾーンのそれぞれは、１つの再生デバイスを有する一方、リビングルームおよび主寝室のゾーンのそれぞれは、複数の再生デバイスを有する。リビングルームゾーンは、再生デバイス１０４、１０６、１０８、および１１０が、別々の再生デバイスとしてか、１つ又は複数の結合再生デバイスとしてか、１つ又は複数の統合再生デバイスとしてか、又はこれらのいずれかの組み合わせで、オーディオコンテンツを同期して再生するように構成されてもよい。同様に、主寝室の場合では、再生デバイス１２２および１２４が、別々の再生デバイスとしてか、結合再生デバイスとしてか、又は統合再生デバイスとして、オーディオコンテンツを同期して再生するように構成されてもよい。
【００３２】
ある例では、図１の環境における１つ又は複数の再生ゾーンは、それぞれ異なるオーディオコンテンツを再生している。例えば、ユーザは、バルコニーゾーンでグリルしながら、再生デバイス１０２によって再生されるヒップホップ音楽を聞くことができる。一方、別のユーザは、キッチンゾーンで食事を準備しながら、再生デバイス１１４によって再生されるクラシック音楽を聞くことができる。別の例では、再生ゾーンは、同じオーディオコンテンツを別の再生ゾーンと同期して再生してもよい。例えば、ユーザがオフィスゾーンにいる場合、オフィスゾーンの再生デバイス１１８が、バルコニーの再生デバイス１０２で再生されている音楽と同じ音楽を再生してもよい。そのような場合、再生デバイス１０２および１１８は、ロック音楽を同期して再生しているため、ユーザは、異なる再生ゾーン間を移動してもアウト−ラウドで再生されるオーディオコンテンツをシームレス（又は少なくともほぼシームレス）に楽しむことができる。再生ゾーン間の同期は、前述の米国特許第８，２３４，３９５号で述べられているような再生デバイス間の同期と同様の方法で行ってもよい。
【００３３】
上述したように、メディア再生システム１００のゾーン構成は、動的に変更してもよく、ある実施形態では、メディア再生システム１００は、複数の構成をサポートする。例えば、ユーザが１つ又は複数の再生デバイスを、物理的にゾーンに移動させるか、又はゾーンから移動させる場合、メディア再生システム１００は変更に対応するように再構成されてもよい。例えば、ユーザが再生デバイス１０２をバルコニーゾーンからオフィスゾーンに物理的に移動させる場合、オフィスゾーンは、再生デバイス１１８と再生デバイス１０２との両方を含んでもよい。必要に応じて、制御デバイス、例えば制御デバイス１２６と１２８とを介して、再生デバイス１０２が、ペアにされるか、又はオフィスゾーンにグループ化されるか、及び／又はリネームされてもよい。一方、１つ又は複数の再生デバイスが、再生ゾーンを未だ設定していないホーム環境において、ある領域に移動させられた場合、新しい再生ゾーンがその領域に形成されてもよい。
【００３４】
更に、メディア再生システム１００の異なる再生ゾーンは、動的にゾーングループに組み合わされてもよいし、又は別々の再生ゾーンに分割されてもよい。例えば、ダイニングルームゾーンとキッチンゾーン１１４とがディナーパーティ用のゾーングループに組み合わされることによって、再生デバイス１１２と１１４とがオーディオコンテンツを同期して再生することができる。一方、あるユーザがテレビを見たい一方、他のユーザがリビングルーム空間の音楽を聞きたい場合、リビングルームゾーンが、再生デバイス１０４を含むテレビゾーンと、再生デバイス１０６、１０８および１１０を含むリスニングゾーンと、に分けられてもよい。
【００３５】
ｃ．例示的な制御デバイス
図３は、メディア再生システム１００の制御デバイス１２６及び１２８のうちの一方又は両方を構成する例示的な制御デバイス３００の機能ブロック図を示す。図示されるように、制御デバイス３００は、プロセッサ３０２、メモリ３０４、ネットワークインタフェース３０６、およびユーザインタフェース３０８を含んでもよい。ある例では、制御デバイス３００は、メディア再生システム１００専用の制御デバイスであってもよい。別の例では、制御デバイス３００は、メディア再生システムコントローラアプリケーションソフトウェアがインストールされたネットワークデバイス、例えば、ｉＰｈｏｎｅ（登録商標）、ｉＰａｄ（登録商標）、又は任意の他のスマートフォン、タブレットあるいはネットワークデバイス（例えば、ＰＣ又はＭａｃ（登録商標）などのネットワークコンピュータ）であってもよい。
【００３６】
プロセッサ３０２は、メディア再生システム１００のユーザアクセス、コントロール、および構成を可能にすることに関する機能を実行するように構成されてもよい。メモリ３０４は、プロセッサ３０２によって実行可能な命令を記憶し、それらの機能を実行するように構成されてもよい。また、メモリ３０４は、メディア再生システムコントローラアプリケーションソフトウェアと、メディア再生システム１００とユーザとに関連付けられた他のデータを記憶するように構成されてもよい。
【００３７】
ある例では、ネットワークインタフェース３０６は、工業規格（例えば、赤外線、無線、ＩＥＥＥ８０２．３などの有線規格、ＩＥＥＥ８０２．１１ａ、８０２．１１ｂ、８０２．１１ｇ、８０２．１１ｎ、８０２．１１ａｃ、８０２．１５などの無線規格、４Ｇ通信規格など）に基づいてもよい。ネットワークインタフェース３０６においては、制御デバイス３００がメディア再生システム１００内の他のデバイスと通信するための手段を提供してもよい。ある例では、データおよび情報（例えば、状態変数）は、ネットワークインタフェース３０６を介して制御デバイス３００と他のデバイスとの間で通信されてもよい。例えば、メディア再生システム１００における再生ゾーンおよびゾーングループの構成は、制御デバイス３００によって、再生デバイス又は別のネットワークデバイスから受信されてもよいし、あるいは制御デバイス３００によって、ネットワークインタフェース３０６を介して別の再生デバイス又はネットワークデバイスに送信されてもよい。ある場合では、他のネットワークデバイスは、別の制御デバイスであってもよい。
【００３８】
ボリュームコントロールおよびオーディオ再生コントロールなどの再生デバイス制御コマンドは、ネットワークインタフェース３０６を介して制御デバイス３００から再生デバイスに通信されてもよい。上述したように、メディア再生システム１００の構成の変更は、ユーザにより制御デバイス３００を用いて行うことができる。構成の変更は、１つ又は複数の再生デバイスをゾーンに追加すること、１つ又は複数の再生デバイスをゾーンから取り除くこと、１つ又は複数のゾーンをゾーングループに追加すること、１つ又は複数のゾーンをゾーングループから取り除くこと、結合プレーヤー又は統合プレーヤーを形成すること、結合プレーヤー又は統合プレーヤーから１つ又は複数の再生デバイスに分けることなどを含んでもよい。このように、制御デバイス３００は、コントローラと呼ばれてもよく、制御デバイス３００は、メディア再生システムコントローラアプリケーションソフトウェアをインストールした専用のコントローラか、又はネットワークデバイスであってもよい。
【００３９】
制御デバイス３００のユーザインタフェース３０８は、図４に示されるコントローラインタフェース４００などのようなコントローラインタフェースを提供することによって、メディア再生システム１００のユーザアクセスおよび制御を可能にするように構成されてもよい。コントローラインタフェース４００は、再生制御領域４１０、再生ゾーン領域４２０、再生ステータス領域４３０、再生キュー領域４４０、およびオーディオコンテンツソース領域４５０を含む。図示されるユーザインタフェース４００は、図３の制御デバイス３００などのようなネットワークデバイス（及び／又は図１の制御デバイス１２６および１２８）を設けられたユーザインタフェースの単なる一例であって、ユーザによってメディア再生システム１００などのようなメディア再生システムを制御するためにアクセスされるものである。あるいは、様々なフォーマット、スタイル、および対話型シーケンスを他のユーザのインタフェースを１つ又は複数のネットワークデバイスに実装し、メディア再生システムへ類似の制御アクセスを提供してもよい。
【００４０】
再生制御領域４１０は、（例えば、タッチ又はカーソルを用いることで）選択可能なアイコンを含んでもよい。このアイコンによって、選択された再生ゾーン又はゾーングループ内の再生デバイスが、再生又は停止、早送り、巻き戻し、次にスキップ、前にスキップ、シャッフルモードのオン／オフ、リピートモードのオン／オフ、クロスフェードモードのオン／オフを行う。再生制御領域４１０は、別の選択可能なアイコンを含んでもよい。別の選択可能なアイコンは、イコライゼーション設定、再生ボリュームなど他の設定などを変更してもよい。
【００４１】
再生ゾーン領域４２０は、メディア再生システム１００内の再生ゾーンの表示を含んでもよい。ある実施形態では、再生ゾーンのグラフィック表示が選択可能であってもよい。追加の選択可能なアイコンを移動させることによって、メディア再生システム内の再生ゾーンを管理又は構成することができる。例えば、結合ゾーンの作成、ゾーングループの作成、ゾーングループの分割、およびゾーングループのリネームなど他の管理又は構成を行うことができる。
【００４２】
例えば、図示されるように、「グループ」アイコンは、再生ゾーンのグラフィック表示のそれぞれに設けられてもよい。あるゾーンのグラフィック表示内の「グループ」アイコンは、メディア再生システム内の１つ又は複数のゾーンを選択して、あるゾーンとグループ化するオプションを出せるように選択可能であってもよい。一度グループ化すると、あるゾーンとグループ化されたゾーン内の再生デバイスは、あるゾーン内の再生デバイスと同期してオーディオコンテンツを再生するように構成される。同様に、「グループ」アイコンは、ゾーングループのグラフィック表示内に設けられてもよい。この場合、「グループ」アイコンは、ゾーングループ内の１つ又は複数のゾーンをゾーングループから取り除くために、ゾーングループ内の１つ又は複数のゾーンを選択から外すというオプションを出すように選択可能であってもよい。ユーザインタフェース４００等のユーザインタフェースを介してゾーンをグループ化およびグループ解除するための他の対話をすることも可能であるし、実施することも可能である。再生ゾーン領域４２０内の再生ゾーンの表示は、再生ゾーン又はゾーングループ構成が変更されると、動的に更新されてもよい。
【００４３】
再生ステータス領域４３０は、現在再生されているオーディオコンテンツ、前に再生されたオーディオコンテンツ、又は選択された再生ゾーン又はゾーングループ内で次に再生するように予定されているオーディオコンテンツ、のグラフィック表示を含んでもよい。選択可能な再生ゾーン又は再生グループは、ユーザインタフェース上で、例えば、再生ゾーン領域４２０及び／又は再生ステータス領域４３０内で視覚的に区別されてもよい。グラフィック表示は、トラックタイトル、アーティスト名、アルバム名、アルバム年、トラックの長さ、およびメディア再生システムを、ユーザインタフェース４００を介して制御するときに、ユーザにとって有益な他の関連情報を含んでもよい。
【００４４】
再生キュー領域４４０は、選択された再生ゾーン又はゾーングループに関連付けられた再生キュー内のオーディオコンテンツのグラフィック表示を含んでもよい。ある実施形態では、それぞれの再生ゾーン又はゾーングループは、再生ゾーン又は再生グループによって再生される０以上のオーディオアイテムに対応する情報を含む再生キューに関連付けられてもよい。例えば、再生キュー内のそれぞれのオーディオアイテムは、ユー・アール・アイ（ＵＲＩ）、ユー・アール・エル（ＵＲＬ）、又は再生ゾーン又はゾーングループ内の再生デバイスによって使用可能な他の識別子を含んでもよい。これらによって、ローカルオーディオコンテンツソース又はネットワークオーディオコンテンツソース、からオーディオアイテムを見つけ、及び／又は取り出し、再生デバイスによって再生することができる。
【００４５】
ある例では、プレイリストが再生キューに追加されてもよい。この場合、プレイリスト内のそれぞれのオーディオアイテムに対応する情報が再生キューに追加されてもよい。別の例では、再生キュー内のオーディオアイテムは、プレイリストとして保存されてもよい。更に別の例では、再生デバイスがストリーミングオーディオコンテンツ、例えば、再生時間を有することで連続して再生されないオーディオアイテムよりも、停止しない限り連続して再生されるインターネットラジオを再生し続けているとき、再生キューは、空であってもよいし、又は「未使用」であるが埋められていてもよい。別の実施形態では、再生キューは、インターネットラジオ及び／又は他のストリーミングオーディオコンテンツアイテムを含むことができ、且つ再生ゾーン又はゾーングループがそれらのアイテムを再生しているとき「未使用」とすることができる。他の例も可能である。
【００４６】
再生ゾーン又はゾーングループが「グループ化される」か、又は「グループ解除」されるとき、影響を受ける再生ゾーン又はゾーングループに関連付けられた再生キューは、クリアされてもよいし、又は再び関連付けられてもよい。例えば、第１再生キューを含む第１再生ゾーンが、第２再生キューを含む第２再生ゾーンとグループ化された場合、形成されたゾーングループは、関連付けられた再生キューを有してもよい。関連付けられた再生キューは、最初は空であるか、（例えば、第２再生ゾーンが第１再生ゾーンに追加された場合、）第１再生キューのオーディオアイテムを含むか、（例えば、第１再生ゾーンが第２再生ゾーンに追加された場合、）第２再生キューのオーディオアイテムを含むか、又は第１再生キューと第２再生キューとの両方のオーディオアイテムを組み合わせられる。その後、形成されたゾーングループがグループ解除された場合、グループ解除された第１再生ゾーンは、前の第１再生キューと再び関連付けられてもよいし、空の新しい再生キューに関連付けられてもよいし、あるいはゾーングループがグループ解除される前にゾーングループに関連付けられていた再生キューのオーディオアイテムを含む新しい再生キューに関連付けられてもよい。同様に、グループ解除された第２再生ゾーンは、前の第２再生キューと再び関連付けられてもよいし、空の新しい再生キューに関連付けられてもよいし、あるいはゾーングループがグループ解除される前にゾーングループに関連付けられていた再生キューのオーディオアイテムを含む新しい再生キューに関連付けられてもよい。
【００４７】
図４のユーザインタフェース４００に戻って、再生キュー領域４４０内のオーディオコンテンツのグラフィック表示は、トラックタイトル、アーティスト名、トラックの長さ、および再生キュー内のオーディオコンテンツに関連付けられた他の関連情報を含んでもよい。ある例では、オーディオコンテンツのグラフィック表示は、追加の選択可能なアイコンを選択して移動させることができる。これにより、再生キュー及び／又は再生キューに表示されたオーディオコンテンツを管理及び／又は編集することができる。例えば、表示されたオーディオコンテンツは、再生キューから取り除いてもよいし、再生キュー内の異なる位置に移動させてもよいし、すぐに再生させるか若しくは現在再生しているオーディオコンテンツの後に再生するように選択されてもよいし、あるいは他の動作を実行してもよい。再生ゾーン又はゾーングループに関連付けられた再生キューは、再生ゾーン又はゾーングループ内の１つ又は複数の再生デバイスのメモリ、再生ゾーン又はゾーングループに入っていない再生デバイスのメモリ、及び／又は他の指定のデバイスのメモリに記憶されていてもよい。
【００４８】
オーディオコンテンツソース領域４５０は、選択可能なオーディオコンテンツソースのグラフィック表示を含んでいてもよい。このオーディオコンテンツソースにおいては、オーディオコンテンツが選択された再生ゾーン又はゾーングループによって取り出され、再生されてもよい。オーディオコンテンツソースに関する説明は、以降のセクションを参照することができる。
【００４９】
ｄ．例示的なオーディオコンテンツソース
前回図示したように、ゾーン又はゾーングループ内の１つ又は複数の再生デバイスは、再生するオーディオコンテンツを、（例えば、オーディオコンテンツの対応するＵＲＩ又はＵＲＬに基づいて、）複数の入手可能なオーディオコンテンツソースから取り出すように構成されてもよい。ある例では、オーディオコンテンツは、再生デバイスによって、対応するオーディオコンテンツソース（例えば、ライン−イン接続）から直接取り出されてもよい。別の例では、オーディオコンテンツは、１つ又は複数の他の再生デバイス若しくはネットワークデバイスを介してネットワーク上の再生デバイスに提供されてもよい。
【００５０】
例示的なオーディオコンテンツソースは、メディア再生システム内の１つ又は複数の再生デバイスのメモリを含んでもよい。メディア再生システムとしては、例えば、図１のメディア再生システム１００、１つ又は複数のネットワークデバイス上のローカルミュージックライブラリ（例えば、制御デバイス、ネットワーク対応のパーソナルコンピュータ、又はネットワーク接続ストレージ（ＮＡＳ）など）、インターネット（例えば、クラウド）を介してオーディオコンテンツを提供するストリーミングオーディオサービス、あるいは再生デバイス又はネットワークデバイスのライン−イン入力接続を介してメディア再生システムに接続されるオーディオソース、他の可能なシステムであってもよい。
【００５１】
ある実施形態では、オーディオコンテンツソースは、図１のメディア再生システム１００などのようなメディア再生システムに定期的に追加されてもよいし、定期的に取り除かれてもよい。ある例では、１つ又は複数のオーディオコンテンツソースが追加される、取り除かれる、又は更新される度に、オーディオアイテムのインデックス付けが行われてもよい。オーディオアイテムのインデックス付けは、ネットワーク上で共有される全てのフォルダ／ディレクトリ内の識別可能なオーディオアイテムをスキャンすることを含んでもよい。ここで、ネットワークは、メディア再生システム内の再生デバイスによってアクセス可能である。また、オーディオアイテムのインデックス付けは、メタデータ（例えば、タイトル、アーティスト、アルバム、トラックの長さなど）と他の関連情報とを含むオーディオコンテンツデータベースを作成すること、又は更新すること、を含んでもよい。他の関連情報とは、例えば、それぞれの識別可能なオーディオアイテムを見つけるためのＵＲＩ又はＵＲＬを含んでもよい。オーディオコンテンツソースを管理し、且つ維持するための他の例も可能である。
【００５２】
再生デバイス、制御デバイス、再生ゾーン構成、およびメディアコンテンツソースに関しての上述した説明は、以降で述べられている機能および方法を実施可能ないくつかの例示的な動作環境のみを提供している。本発明は、本明細書で明示的に述べられていないメディア再生システム、再生デバイス、およびネットワークデバイスの他の動作環境および構成であっても適用可能であり、その機能および方法を実施するのに適している。
【００５３】
ＩＩＩ．通信のためにアンテナを選択する技術の例
上述したように、本明細書で述べられている例は、ネットワークデバイスに、ネットワークデバイスの向きに応じてアンテナセットのいずれかを用いて通信することを含んでもよい。
【００５４】
図５に示される実施例５００は、例えば、図１のメディア再生システム１００、図２の再生デバイス２００の１つ又は複数、および図３の制御デバイス３００の１つ又は複数を含む操作環境内で実行され得る方法の実施形態を示す。実施例５００は、ブロック５０２−５０６の１つ又は複数によって示される１つ又は複数の操作、機能、又は動作を含んでいてもよい。ブロックは、順番に示されているが、これらのブロックは、並行で実行されてもよいし、及び／又は本明細書で述べられている順番と異なる順番で実行されてもよい。また、これらのブロックは、組み合わせてより少ないブロック数となるようにしてもよいし、分割してブロック数を増やしてもよいし、及び／又は所望の実装に基づいて取り除いてもよい。
【００５５】
更に、実施例５００及び本明細書で開示されている他の実施例において、フローチャートは、本実施形態の１つの実装可能な機能及び操作を示す。これに関して、それぞれのブロックは、プロセス中の論理機能又はステップを実行するためにプロセッサによって実行可能な１つ又は複数の命令を含むモジュール、セグメント、又はプログラムコードの一部を示していてもよい。プログラムコードは、コンピュータ読み取り可能な媒体のいずれのタイプ、例えば、ディスク又はハードドライブを含む記憶デバイスなどに記憶されてもよい。コンピュータ読み取り可能な媒体は、非一時的なコンピュータ読み取り可能な媒体を含んでもよい。非一時的なコンピュータ読み取り可能な媒体とは、例えば、レジスタメモリ、プロセッサキャッシュ、及びランダムアクセスメモリ（ＲＡＭ）などの短期間、データを記憶するコンピュータ読み取り可能なメディアなどである。また、コンピュータ読み取り可能な媒体は、非一時的なメディアを含んでもよい。非一時的なメディアとは、例えば、リードオンリーメモリ（ＲＯＭ）、光又は磁気ディスク、コンパクトディスクリードオンリーメモリ（ＣＤ−ＲＯＭ）などの二次的又は永久的に長期記憶するものである。また、コンピュータ読み取り可能な媒体は、任意の揮発性又は不揮発性記憶システムであってもよい。コンピュータ読み取り可能な媒体は、例えば、コンピュータ読み取り可能な記録媒体、又は有形の記憶デバイスとみなしてもよい。更に、方法５００、他のプロセス、及び本明細書に開示された方法において、図５のそれぞれのブロックがプロセス内のある論理機能を実行するように配線された回路を示していてもよい。
【００５６】
図５に示すように、ブロック５０２で、実施例５００は、設置されているネットワークデバイスの向きが第１の向きか、第２の向きかのいずれであるかを決定するステップを含む。ブロック５０４で、設置されている向きが第１の向きであると決定された場合、実施例５００は、１つ又は複数のアンテナを含む第１アンテナセットを用いて通信させるようにネットワークデバイスを設定するステップを含む。ブロック５０６で、設置されている向きが第２の向きであると決定された場合、実施例５００は、１つ又は複数のアンテナを含む第２アンテナセットを用いて通信するようにネットワークデバイスを設定するステップを含む。これら及び他の実施例の機能は、更に以降で詳細に述べられている。
【００５７】
A．設置されている向きが第１の向きか、第２の向きかのいずれであるかを決定するステップ
ブロック５０２では、実施例５００は、設置されているネットワークデバイスの向きが第１の向きか、第２の向きかのいずれであるかを決定するステップを含む。
【００５８】
実施形態では、ブロック５０２と、方法５００に関連して述べられている他の機能が、ネットワークデバイス自体により実行されてもよい。例えば、ネットワークデバイスは、プロセッサと、プロセッサに方法５００に関連して述べられる機能を実行させるように、プロセッサによって実行可能な命令を記憶したメモリと、を含んでいてもよい。
【００５９】
別の実施形態では、ブロック５０２及び／又は方法５００に関連して述べられている他の機能のいくつか又はすべては、コントローラ又は他のネットワークデバイスによって実行されてもよい。他のネットワークデバイスは、ローカル及び／又はワイドエリアネットワークを介してネットワークデバイスに通信可能に接続されている。
【００６０】
実施形態では、ブロック５０２に関連して参照されるネットワークデバイスは、本明細書の別の箇所で述べられている再生デバイスなどの再生デバイスであってもよい。図６Ａ，６Ｂ及び６Ｃは、ブロック５０２に関連して述べられている機能及び方法５００に関連して述べられている他の機能を実行することができる例示的な再生デバイス６００を示す。
【００６１】
図６A，６B及び６Cは、様々な向きに設置された再生デバイス６００を示す。特に、図６A及び６Bにおいては、再生デバイス６００は、それぞれ、第１の向き及び第２の向きに設置されていることが示されている。
【００６２】
図６Ａと図６Ｂの両方において、再生デバイスは、長手方向軸６０２を有するように示されている。図６Aでは、再生デバイス６００は、水平方向に長手軸方向を有するように示されている。このように、図６Aでは、再生デバイスが水平方向を有するものとして示されている。一方、図６Bでは、再生デバイス６００は、垂直方向に長手方向軸を有するように示されている。このように、図６Bでは、再生デバイス６００は、水平方向を有するものとして示されている。
【００６３】
図６A及び図６Bは、水平方向及び垂直方向に向けて設置された再生デバイス６００をそれぞれ示しているが、再生デバイスは、他の方向を向いていてもよいことを理解されたい。実際に、再生デバイスは、他のいずれかの角度の向きに向いていてもよい。実際には、例えば、再生デバイスは、完全に平坦に置かれていなくてもよく、その代わりにある角度を有して設置されていてもよい。再生デバイスがある角度を有して設置されるような状況である場合であって、正確に水平方向又は正確に垂直方向にないにもかかわらず、位置が実質的に水平方向又は実質的に垂直方向として扱われることがある。
【００６４】
ある実施形態では、方位センサが使用されてもよく、方位センサは、配置された再生デバイスの向きを決定する。例えば、方位センサは、加速度計などを使用して、再生デバイスの向きを決定してもよい。例では、加速度計の軸がグリル平面と整列するか、またはグリル平面に直交するように、加速度計が再生デバイスに取り付けられてもよい。
【００６５】
当業者であれば、いくつかの適切な加速度計が、音響ノイズ等の破壊的環境条件及び／又は温度変化及び製造上のばらつき等のうち少なくとも１つに基づく許容誤差内のばらつきが存在する条件下で、向きの決定を可能にすることは、理解される。
【００６６】
例では、方位検出が（例えば、重力によって生じる加速度を超える追加の加速度として現れる機械圧力を誘導することによる）音響振動によって悪影響を受けないようにするために、生の加速度の値をフィルタリングしてもよい。フィルタリングは、向きの変化を決定するための応答時間を増やすことができる。更に、ノイズ（例えば、不十分な壁掛け）の存在下での頻繁な向きの変化を減少させる、又は抑制するために、向きの変化は、ある期間に制限されてもよい（例えば、３０秒毎に向きを変えることを制限する）。
【００６７】
例では、再生デバイスのピッチ、ロール及びヨーが、再生デバイスの向きを決定するために使用されてもよい。ロールピッチ角は、再生デバイスのフロントグリルの「平面」を基準として（例えば、グリルの中央の接線によって形成される平面を基準にして）測定されてもよい。
【００６８】
再生デバイスなどのネットワークデバイスの向きを決定する他の例示的な態様は、２０１１年７月１９日に出願された、「スピーカーの向きに応答したサウンドのシェーピング」と題する米国特許出願第１３／１８６，２４９号で述べられており、その全体が参照されることにより本明細書に組み込まれる。
【００６９】
上述したように、ブロック５０２は、第１の向きと第２の向きとを参照しているが、ネットワークデバイスの他の向きも参照可能である。追加の例として、図６Ｃは、第３の向きに向けて設置された再生デバイス６００を示している。第３の向きは、図６Ｂに示す垂直方向とは異なる追加された可能な垂直方向である。示されるように、図６Ｂにおいて、サイド１はサイド２の下にあるのに対し、図６Ｃにおいてサイド１はサイド２の上にある。再生デバイス６００は、図６Ｂ及び図６Ｃに示される垂直方向を区別するように整列されてもよい。また、図６Ｂ及び６Ｃに示される異なる向きは、方法５００に関連して述べられる機能に影響を及ぼすために使用されてもよい。
【００７０】
ブロック５０２は、第１の向きか、第２の向きかのいずれであるかを決定することを示しているが、再生デバイスは第１の向き又は第２の向き以外の方向に整列されてもよく、ネットワークデバイスは、再生デバイスが第１の向き又は第２の向き以外の方向に接地されていてもよい。設置されている向きが第１の向き又は第２の向き以外の向きであることが決定されるような状況では、再生デバイスは、方法５００に関連して述べられたものと同じ、同様、及び／又は異なる機能を実行してもよい。
【００７１】
Ｂ．設置されている向きが第１の向きであると決定された場合、１つ又は複数のアンテナを含む第１アンテナセットを用いて通信するようにネットワークデバイスを設定するステップ
ブロック５０４で、実施例５００は、設置されている向きが第１の向きであると決定された場合、１つ又は複数のアンテナを含む第１アンテナセットを用いて通信するようにネットワークデバイスを設定するステップを含む。
【００７２】
ブロック５０２に関連して説明されたように、実施形態では、ネットワークデバイスは、再生デバイス６００などの再生デバイスであってもよい。別の態様の例示的な再生デバイス７００が図７Ａ及び図７Ｂに示されている。図７Ａでは、再生デバイス７００は、第１の向きに設置されていることが示されている。図７Ｂでは、再生デバイス７００は、第２の向きに設置されていることが示されている。
【００７３】
示されているように、再生デバイスは、２つのアンテナセットを含む。２つのアンテナセットは、第１アンテナセット（符号「７０２」に対応する）と、第２アンテナセット（符号「７０４」に対応する）とを含む。第１アンテナセットは、アンテナ７０２Ａ、アンテナ７０２Ｂ及びアンテナ７０２Ｃを含むように示されている。第２アンテナセットは、アンテナ７０４Ａ、アンテナ７０２Ｂ及びアンテナ７０４Ｃを含むように示されている。
【００７４】
示された様々なアンテナは、任意の適切な形態を取ることができる。例えば、アンテナのうちの任意の１つ又は複数は、無線信号を受信し送信することができる、ダイポールアンテナ、スロットアンテナ、ＰＩＦＡ（Ｐｌａｎａｒ  Ｉｎｖｅｒｔｅｄ  Ｆ  Ａｎｔｅｎｎａ）アンテナ、ミアンダライン、チップアンテナなどのいずれか１つであってもよい。例えば、ダイポールアンテナは、ある再生デバイスに見られるような狭い空間の制約を有する用途で使用することができる。
【００７５】
一例では、アンテナのいずれか１つは、２つの異なる周波数スペクトルで無線信号を受信し、送信することができるデュアルバンドアンテナであってもよい。例えば、アンテナは、２．４ＧＨｚおよび５ＧＨｚの両方の無線スペクトルを受信し、送信することができる二重帯域アンテナであってもよい。
【００７６】
１つ又は複数のアンテナを使用して、再生デバイスは、オーディオ情報、構成情報、及び／又は制御情報を含む情報を１つ又は複数の他のネットワークデバイスとの間で送受信することができる。構成および制御情報は、例えば、再生デバイスをマスタまたは調整デバイスとして機能させるために使用することができる。追加的または代替的に、構成および制御情報は、再生デバイスと同じゾーン、異なるゾーン、又は同じゾーンおよび異なるゾーンの１つ又は複数のデバイスにマルチメディアコンテンツを提供するために使用されてもよい。
【００７７】
再生デバイス内のアンテナのそれぞれは、アンテナの最長寸法に対応する長さ方向に延びる長手方向軸を有すると理解することができる。図７Ａでは、例示的な再生デバイス７００が例示的に垂直の第１の向きに設置されていることが示されている。図７Ａに示すように、矢印７０６で示される第１アンテナセットにおけるアンテナ７０２Ａ、７０２Ｂ、および７０２Ｃのそれぞれの長手方向軸の向きは垂直方向（縦方向）である。同様に、図７Ａに示すように、矢印７０６で示される再生デバイス７００の長手方向軸の向きは垂直方向である。したがって、図７Ａに示すように、ネットワークデバイスのそれぞれの長手方向軸、および１つ又は複数のアンテナを含む第１のセット内の各アンテナの長手方向軸は、実質的に平行である。
【００７８】
更に、図７Ａに示されるように、矢印７０８で示される第２アンテナセットにおけるアンテナ７０４Ａ、７０４Ｂ、および７０４Ｃの長手方向軸の向きは、それぞれ、水平である。したがって、図７Ａに示すように、１つ又は複数のアンテナを含む第２アンテナセットにおける各アンテナの長手方向軸のそれぞれは、ネットワークデバイスの長手方向軸、および１つ又は複数のアンテナを含み第１アンテナセットにおける各アンテナの長手方向軸のそれぞれに対して実質的に垂直となる。
【００７９】
図７Ｂに関連して、例示的な再生デバイス７００が例示的に水平の第２の向きに示されている。図７Ｂに示されているように、矢印７０８で示されるように、アンテナ７０２Ａ、７０２Ｂ、及び７０２Ｃを含む第１アンテナセットのアンテナのそれぞれの長手方向軸の向きは、水平である。同様に、図７Ｂに示されるように、矢印７０８で示されるように、再生デバイス７００の長手方向軸の向きは、水平である。したがって、図７Ｂに示されるように、ネットワークデバイスの長手方向軸と、１つ又は複数のアンテナを含む第１アンテナセットにおける各アンテナの長手方向軸とは、実質的に平行である。
【００８０】
更に、図７Ｂに示されるように、矢印７０６で示されるように、アンテナ７０４Ａ、７０ｂ、および７０４Ｃを含む第２アンテナセットにおける各アンテナの長手方向軸の向きは、垂直方向である。したがって、図７Ｂに示されるように、１つ又は複数のアンテナを含む第２アンテナセットにおける各アンテナの長手方向軸のそれぞれは、ネットワークデバイスの長手方向軸、および１つ又は複数のアンテナにおける各アンテナの長手方向軸のそれぞれに対して実質的に垂直である。
【００８１】
実施例５００に戻って、ブロック５０４で、設置されている向きが第１の向きであると決定された場合、方法５００は、１つ又は複数のアンテナを含む第１アンテナセットを用いて通信するようにネットワークデバイスを設定するステップを含む。図７Ａに示される例示的な第１の向きに関連して、再生デバイス７００は、１つ又は複数のアンテナ７０２Ａ、７０２Ｂ、及び７０２Ｃを用いて通信する。
【００８２】
ブロック５０４において、例示的な再生デバイス７００では、１つ又は複数のアンテナを介して制御情報を受信してもよい。追加的に及び／又は代替的に、再生デバイス７００は、１つ又は複数のアンテナを介して構成情報を受信してもよい。追加的に及び／又は代替的に、再生デバイス７００は、１つ又は複数のアンテナを含む第１アンテナセットを介してオーディオ情報を受信してもよい。
【００８３】
特に、再生デバイスが垂直方向にあって、第１アンテナセットにおけるそれぞれのアンテナが垂直方向にあるとき、再生デバイスが、第１アンテナセットのアンテナを用いて通信することは、集合的な第１アンテナセットの放射パターンを、再生デバイスの方位角に集中させることになり、有益である。ブロック５０６に関連して更に以降で詳細に述べられるように、再生デバイスが９０°回転し、水平方向に配置され、第２アンテナセットにおけるそれぞれのアンテナが垂直方向であるとき、再生デバイスが、代わりに第２アンテナセットを用いて通信することは、集合的な第２アンテナセットの放射パターンを、再生デバイスの方位角に集中させることになり、有益である。
【００８４】
１つ又は複数のアンテナを含む第１アンテナセット用いて通信するようにネットワークデバイスを設定することは、１つ又は複数のアンテナを含む第１アンテナセットを有効にすることを含んでもよい。一例では、アンテナを有効にすることは、送信または受信のための所与の無線信号を、アンテナを介して通信させることを含んでもよい。例えば、図９に示すように、アンテナ９０８を有効にすることは、無線信号９０４を、アンテナ９０８を介して送信させることを含んでもよい。スイッチ９０６が実装されてもよい。スイッチ９０６は、制御信号９０２に基づいて動作可能であり、無線信号を信号経路に沿ってアンテナ９０８に向けている。
【００８５】
ブロック５０４に従って、１つ又は複数のアンテナを含む第１アンテナセット用いて通信するようにネットワークデバイスを設定することは、更に、１つ又は複数のアンテナを含む第２アンテナセットを無効にすることを含んでもよい。一例では、アンテナを無効にすることは、送信または受信のための所与の無線信号がアンテナを介して通信されるのを防止することを含んでもよい。例えば、図９に示されるように、アンテナ９１０を無効にすることは、制御信号９０２に基づいて、スイッチ９０６を操作し、アンテナ９１０への制御信号のための信号経路を妨害することによって、アンテナ９１０を介しての通信を無効にすることを含んでもよい。同時に、上述したように、アンテナ９０８を介しての通信を有効にしてもよい。
【００８６】
上述の例を続けると、一例のシナリオでは、ブロック５０２に従って、再生デバイスのマイクロプロセッサは、再生デバイスの加速度計から受信した信号を使用して再生デバイスの向きを決定してもよい。次に、ブロック５０４に従って、マイクロプロセッサは、ソフトウェア及び／又はハードウェアで実施される他のロジックとともに、有効にされる１つ又は複数のアンテナを選択してもよい。 その結果、スイッチがトリガされて、再生デバイスが選択された１つ又は複数のアンテナを介して通信するようにしてもよい。
【００８７】
再生デバイスに、あるアンテナを用いて通信させることに加えて、再生デバイスの向きに基づいて他の機能を実行してもよいことに留意されたい。例えば、あるアンテナによる通信を引き起こすことに加えて、設置されている向きが第１の向きであると決定された場合、再生デバイスは、第１イコライゼーション設定に従ってサウンドを再生するように構成されてもよい。追加的に及び／又は代替的に、設置されている向きが第１の向きであると決定された場合、再生デバイスは、マルチチャネルオーディオ信号の所与のチャネルを再生するように構成されてもよい。設置されている向きに基づいて再生デバイスのイコライゼーション設定を変更する他の例示的な態様は、２０１１年7月１９日に出願された、「スピーカーの向きに応答したサウンドのシェーピング」と題する米国特許出願第１３／１８６，２４９号で述べられており、その全体が参照されることにより本明細書に組み込まれる。
【００８８】
Ｃ．設置されている向きが第２の向きであると決定された場合、１つ又は複数のアンテナを含む第２アンテナセットを用いて通信するようにネットワークデバイスを設定するステップ
ブロック５０６で、実施例５００は、設置されている向きが第２の向きであると決定された場合、１つ又は複数のアンテナを含む第２アンテナセットを用いて通信するようにネットワークデバイスを設定するステップを含む。
【００８９】
上述したように、図７Ｂは、例示的に水平の第２の向きに設置された例示的な再生デバイス７００を示す。再生デバイス７００が水平方向に設置されるような状況では、ブロック５０６に従って、再生デバイス７００は、１つ又は複数のアンテナ７０４Ａ、７０４Ｂ、及び７０４Ｃを含む第２アンテナセットを用いて通信してもよい。その結果、上述したように、再生デバイス７００の長手方向軸、および１つ又は複数のアンテナを含む第２アンテナセットにおける各アンテナの長手方向軸が、それぞれ、実質的に垂直であるため、第２アンテナの集合的なセットの放射パターンは方位角に集中し、有益である。
【００９０】
１つ又は複数のアンテナを含む第２アンテナセットは、１つ又は複数のアンテナを含む第１アンテナセットに関して上述した方法と同様の方法で有効にすることができる。さらに、１つ又は複数のアンテナを含む第２アンテナセットにより通信することに加えて、向きが第２の向きであると決定した場合、再生デバイスは、第２イコライゼーション設定に従ってサウンドを再生するように構成されていてもよい。上述したように、再生デバイスが第１イコライゼーション設定に応じてサウンドを再生するように構成される方法と同様の方法で、再生デバイスは第２イコライゼーション設定に応じてサウンドを再生するように構成されてもよい。
【００９１】
ＩＶ．追加の例示的なアンテナセット
方法５００に関連して上述された例においては、特に、図７Ａ及び図７Ｂに示される例を含むものであり、１つ又は複数のアンテナを含む第２アンテナセットにおける各アンテナの長手方向軸のそれぞれは、ネットワークデバイスの長手方向軸、および１つ又は複数のアンテナを含む第１アンテナセットにおける各アンテナの長手方向軸に対して、それぞれ、実質的に垂直である。しかしながら、それは必須ではないことを理解されたい。実際、ある実施形態では、第１アンテナセット及び第２アンテナセットは、互いに排他的ではない。代わりに、１つ又は複数のアンテナは、第１アンテナセットのアンテナと第２アンテナセットのアンテナとで共有してもよい。
【００９２】
１つ又は複数のアンテナを含む第１アンテナセットと、１つ又は複数のアンテナを含む第２アンテナセットとがアンテナを共有する例示的な実施形態が、図８Ａおよび図８Ｂに関して示されている。特に、第１アンテナセットは、アンテナ８０２Ａ、アンテナ８０２Ｂ、およびアンテナ８０４を含むと理解されてもよい。一方、第２アンテナセットは、アンテナ８０２Ａ、アンテナ８０２Ｂ、およびアンテナ８０６を含むと理解されてもよい。
【００９３】
図８Ａに示すように、再生デバイス８００は、実質的に垂直方向に設置されている。さらに、アンテナ８０２Ａおよびアンテナ８０４のそれぞれの長手方向軸は、矢印８０８によって示されるように、実質的に垂直方向に向けられている。このように、アンテナ８０２Ａの長手方向軸およびアンテナ８０４の長手方向軸は、実質的に平行である。
【００９４】
図８Ａにも示されるように、アンテナ８０２Ｂおよびアンテナ８０６のそれぞれの長手方向軸は、矢印８１０によって示されるように、実質的に垂直に向けられる。このように、アンテナ８０２Ｂの長手方向軸およびアンテナ８０６の長手方向軸は、アンテナ８０２Ａの長手方向軸線およびアンテナ８０４の長手方向軸に対して実質的に垂直である。
【００９５】
図８Ａに示す垂直の第１の向きに設置されている場合、再生デバイス８００は、アンテナ８０２Ａ、８０２Ｂ、および８０４を含む第１アンテナセットを使用して通信してもよい。このような配置では、アンテナ８０２Ａと８０４とは平行であり、それらの放射パターンは方位角に沿って整列される一方、アンテナ８０２Ｂの長手方向軸は垂直方向に向けられる。それにもかかわらず、状況によっては、このような異なる向きを有するアンテナセットを使用して通信することが望ましい場合がある。そのような状況の１つは、例えば、再生デバイスが使用される地理的位置が、ある数のアクティブアンテナのみが共通の方向に向けられる場合である。
【００９６】
図８Ｂに示す垂直の第２の向きに設置されている場合、再生デバイス８００は、アンテナ８０２Ａ、８０２Ｂ、および８０６を含む第２アンテナセットを使用して通信することができる。このような配置では、アンテナ８０２Ｂおよび８０６は平行であり、それらの放射パターンは方位角に沿って整列される一方、アンテナ８０２Ａの長手方向軸は垂直方向に向けられる。
【００９７】
特に、再生デバイス８００に含まれるものとして他のアンテナは示されていないが、他のそのようなアンテナが含まれてもよい。例えば、図７Ａおよび図７Ｂに関連して示されるアンテナに対応するいずれかのアンテナが含まれてもよく、再生デバイスが図８Ａおよび図８Ｂに関して説明される実施形態に従って動作するときは使用されない。
【００９８】
より一般的には、図７Ａ、図７Ｂ、図８Ａ、および図８Ｂに関してあるアンテナセットが説明されているが、方法５００は、より多くの又はより少ないアンテナを含む再生デバイスによって実行され得ることを理解されたい。さらに、アンテナは、本明細書で明示的に言及されたもの以外の向きであってもよい。
【００９９】
V．結論
上記の説明は、とりわけ、他のコンポーネント、ハードウェア上で実行されるファームウェア及び／又はソフトウェアを含む様々な例示のシステム、方法、装置、及び製品を開示する。このような実施例は、単なる例示であって、限定されるものではないことが理解される、例えば、ファームウェア、ハードウェア、及び／又はソフトウェアの態様又はコンポーネントのいずれか又はすべてが、ハードウェアのみ、ソフトウェアのみ、ファームウェアのみ、あるいはハードウェア、ソフトウェア、及び／又はファームウェアの組み合わせにおいて具現化され得ることが考えられる。したがって、提供される実施例は、そのようなシステム、方法、装置、及び／又は製品に実装されるやり方だけではない。
【０１００】
上述したように、本明細書で提供される例は、ネットワークデバイスに、ネットワークデバイスの向きに応じていずれかのセットのアンテナと通信させることを含む。一態様では、ネットワークデバイスが提供される。デバイスは、１つ又は複数のアンテナを含む第１アンテナセットと、１つ又は複数のアンテナを含む第２アンテナセットと、プロセッサと、機能を実行させるためにプロセッサによって実行可能な命令を記憶するメモリとを含む。機能は、（１）設置されているネットワークデバイスの向きが第１の向きか、第２の向きかのいずれであるかを決定すること、（２）設置された向きが第１の向きであると決定された場合、１つ又は複数のアンテナを含む第１アンテナセットを使用して通信するようにネットワークデバイスを設定すること、および（３）設置されている向きが第２の向きであると決定された場合、１つ又は複数のアンテナ含む第２アンテナセットを使用して通信するようにネットワークデバイスを設定すること、を含む。
【０１０１】
別の態様では、方法が提供される。方法は、（１）設置されているネットワークデバイスの向きが第１の向きか、第２の向きかのいずれであるかを決定するステップ、（２）設置された向きが第１の向きであると決定された場合、１つ又は複数のアンテナを含む第１アンテナセットを使用して通信するようにネットワークデバイスを設定するステップ、および（３）設置されている向きが第２の向きであると決定された場合、１つ又は複数のアンテナ含む第２アンテナセットを使用して通信するようにネットワークデバイスを設定するステップ、を含む。
【０１０２】
更に別の態様では、非一時的なコンピュータ読み取り可能記録媒体が提供される。非一時的なコンピュータ読み取り可能記録媒体は、コンピュータによって実行可能な命令を記憶しており、コンピュータに機能を実行させる。機能は、（１）設置されているネットワークデバイスの向きが第１の向きか、第２の向きかのいずれであるかを決定すること、（２）設置された向きが第１の向きであると決定された場合、１つ又は複数のアンテナを含む第１アンテナセットを使用して通信するようにネットワークデバイスを設定すること、および（３）設置されている向きが第２の向きであると決定された場合、１つ又は複数のアンテナ含む第２アンテナセットを使用して通信するようにネットワークデバイスを設定すること、を含む。
【０１０３】
更に、「実施形態」への言及は、実施の形態に関連して述べられた特徴、構造、又は特性が、本発明の少なくとも１つの例示的な実施形態に含まれ得ることを意味する。本明細書の様々な箇所で使用されているこの語句は、必ずしもすべてが同じ実施形態を示しているものでもなく、他の実施形態と相互排他的な別個の又は代替の実施形態でもない。このように、当業者によって、明示的に又は黙示的に理解されるであろう本明細書で述べられている実施形態は、他の実施形態と組み合わせることもできる。
【０１０４】
本明細書は、例示的な環境、システム、手順、ステップ、論理ブロック、処理、および他のシンボル表現に関して広く示されており、それらは直接又は間接的にネットワークに接続されるデータ処理デバイスの動作に類似するものである。これらの処理説明および表現は、一般的に当業者によって使用され、それらの仕事の内容を他の当業者に最も効率良く伝えることができる。多くの具体的な内容が、本開示を理解するために提供されている。しかしながら、当業者にとって、本開示の特定の実施形態が特定の、具体的な詳細なしに実施され得ることは理解される。他の例では、周知の方法、手順、コンポーネント、および回路が、実施形態を不必要に曖昧にすることを避けるため、詳細に説明していない。したがって、本開示の範囲は、上記した実施形態よりむしろ添付された特許請求の範囲によって定義される。
【０１０５】
添付の特許請求の範囲のいずれかが単にソフトウェア及び／又はファームウェアへの実装をカバーするように読み取ると、少なくとも１つの例における要素の１つ又は複数は、本明細書では、ソフトウェア及び／又はファームウェアを記憶する有形の非一時的な記憶媒体、例えば、メモリ、ＤＶＤ、ＣＤ、Ｂｌｕ−ｒａｙ（登録商標）等を含むことが明確に定められている。
【図１】
0006495481.tif 000002
【図２】
0006495481.tif 000003
【図３】
0006495481.tif 000004
【図４】
0006495481.tif 000005
【図５】
0006495481.tif 000006
【図６Ａ】
0006495481.tif 000007
【図６Ｂ】
0006495481.tif 000008
【図６Ｃ】
0006495481.tif 000009
【図７Ａ】
0006495481.tif 000010
【図７Ｂ】
0006495481.tif 000011
【図８Ａ】
0006495481.tif 000012
【図８Ｂ】
0006495481.tif 000013
【図９】
0006495481.tif 000014